(57)【要約】      （修正有）【課題】換気ユニット送風機のファンハウジングにおける空気吹出口の出口部付近に有効な消音空間を設けることにより、運転騒音の外部への伝達量を低減させる。【解決手段】換気ファン羽根車１５と、この換気ファン羽根車を収納するスクロール構造の換気ファンハウジング１２と、この換気ファンハウジングの底板部中央に設けられた空気吸込口と、上記換気ファンハウジングの外周部接線方向に開口された空気吹出口１２ａとを備え、上記換気ファンハウジングの上記空気吹出口の出口部分に、下方に延びる換気空気吹出し用の流路部材を付設した換気ユニットにおいて、上記換気ファンハウジングの空気吹出口部分を、上記換気空気吹出し用の流路部材の入口部１６を超えて空気吹出方向に所定寸法延長し、上記換気ファンハウジングの空気吹出口の出口部分に、上記換気空気吹出し用の流路部材の入口部を包囲する大容積の消音空間１２ｃを形成した。【選択図】図４
2010156342.tif 000002
【特許請求の範囲】
【請求項１】
換気ファン羽根車（１５）と、この換気ファン羽根車（１５）を収納するスクロール構造の換気ファンハウジング（１２）と、この換気ファンハウジング（１２）の底板部中央に設けられた空気吸込口（１４）と、上記換気ファンハウジング（１２）の外周部接線方向に開口された空気吹出口（１２ａ）とを備え、上記換気ファンハウジング（１２）の上記空気吹出口（１２ａ）の出口部分に、下方に延びる換気空気吹き出し用の流路部材（２０）を付設するようにしてなる換気ユニットにおいて、上記換気ファンハウジング（１２）の空気吹出口（１２ａ）部分を、上記換気空気吹き出し用の流路部材（２０）の入口部（１６）を超えて空気吹出方向に所定寸法延長することによって、上記換気ファンハウジング（１２）の空気吹出口（１２ａ）の出口部分に、上記換気空気吹き出し用の流路部材（２０），（２０ｆ）の入口部（１６）を包囲する大容積の消音空間（１２ｃ）を形成したことを特徴とする換気ユニット。
【請求項２】
換気ファン羽根車（１５）と、この換気ファン羽根車（１５）を収納するスクロール構造の換気ファンハウジング（１２）と、この換気ファンハウジング（１２）の底板部中央に設けられた空気吸込口（１４）と、上記換気ファンハウジング（１２）の外周部接線方向に開口された空気吹出口（１２ａ）とを備え、上記換気ファンハウジング（１２）の上記空気吹出口（１２ａ）の出口部分に、下方に延びる換気空気吹き出し用の流路部材（２０），（２０ｆ）を付設するようにしてなる換気ユニットにおいて、上記換気ファンハウジング（１２）の空気吹出口（１２ａ）部分を、空気吹出方向と交差し、かつ上記換気空気吹き出し用の流路部材（２０），（２０ｆ）の流路方向とも交差する幅方向に所定寸法拡大することによって、上記換気ファンハウジング（１２）の空気吹出口（１２ａ）の出口部分に、上記換気空気吹き出し用の流路部材（２０），（２０ｆ）の入口部（１６）を包囲する大容積の消音空間（１２ｃ）を形成したことを特徴とする換気ユニット。
【請求項３】
上記換気空気吹き出し用の流路部材（２０），（２０ｆ）部分に大容積の消音空間（２１ａ）を設けたことを特徴とする請求項１または２記載の換気ユニット。
【請求項４】
消音空間（１２ｃ）は、換気ファンハウジング（１２）の内周部（１２ｄ）からの出口部分が同換気ファンハウジング（１２）の内周部（１２ｄ）側方向に傾斜拡大されていることを特徴とする請求項１，２又は３記載の換気ユニット。
【請求項５】
空気吹出口（１２ａ）に連通し、給気・排気状態を切り替えるダンパー部材（５６）を備えるとともに、換気空気吹き出し用の流路部材（２０ｆ）が上記ダンパー部材（５６）の下方に延び、上記ダンパー部材（５６）の内部に、上記換気ファンハウジング（１２）側の流路面積が上記換気空気吹出用の流路部材（２０ｆ）側の流路面積に対して大きい筒状部材（６６）が設けられていることを特徴とする請求項１，２，３または４記載の換気ユニット。
【発明の詳細な説明】
【技術分野】
【０００１】
本願発明は、単独で、または空気調和機等に組み込んで使用される換気ユニットに関するものである。
【背景技術】
【０００２】
最近の空気調和機等においては、室外の空気から水分を取り込んで室内に搬送する加湿ユニットを備えたものが登場してきている。
【０００３】
この種の空気調和機等では、室外機の方に送風機を内蔵した加湿ユニットを設置し、該加湿ユニットで加湿した加湿空気をホースを介して室内機側に導き、その吹き出し口（ノズル部）から室内空間に供給するようになっている（例えば特許文献１，２参照）。
【０００４】
したがって、このような加湿ユニットでは、加湿機能を停止させれば、その送風機能のみを利用して室外の空気、すなわち外気を室内に供給する換気ユニットとして機能させることもできる。
【０００５】
そして、そのようにすると、新鮮な外気により室内が換気されて、室内空気の清浄度が高くなる。
【０００６】
このような従来の換気ユニットの例を、図３２に示す。
【０００７】
すなわち、この換気ユニット４は、上記のように室外空調ユニット５の本体ケーシングに対応した前後左右幅で所定の高さを有する扁平な箱形の換気ユニットケーシング４ａの前面側壁部左側寄りに外気吸込口４１、底壁部右端に外気供給用の空気吹き出し用流路部材２０を下方側から挿入接続するための上下方向に貫通した開口４２、内側に換気ファン設置空間４３がそれぞれ設けられている。
【０００８】
換気ファン１０（送風機）は、換気ファン羽根車駆動モータ１１、この駆動モータ１１により高速で回転駆動される換気ファン羽根車１５、この換気ファン羽根車１５を回転可能に収納した換気ファンハウジング１２、この換気ファンハウジング１２の下面部に設けられ、上記換気ファン羽根車１５の中心軸部分への空気吸込口１４を形成しているベルマウス板１３等からなり、換気ファン羽根車駆動モータ１１、換気ファンハウジング１２は、例えば換気ユニットケーシング４ａの底壁部上に所定の支持部材を介して支持固定されている。
【０００９】
また、換気ファン羽根車１５は、例えば可及的に扁平な遠心ファンよりなり、上方側円板状のハブと下方側ドーナツ板状のシュラウドとの間に多数枚の羽根を回転方向に応じた所定の翼角、所定の翼間隔で周方向に並設して構成されている。
【００１０】
また、ベルマウス板１３の段面Ｕ状に曲げた空気吸込口１４側開口縁部内には、上記シュラウド側の空気流入側開口縁部が所定の隙間を保って相対回転可能に遊嵌されている。そして、それによって上記換気ファンハウジング１２内送風通路のシール機能が実現されるようになっている。
【００１１】
さらに、上記換気ファンハウジング１２は、例えば平面スクロール形状をなし、各々半径を異にする複数個の円弧部の連続面からなり、その空気吹出口１２ａ部分の通路形状は、スクロール部の最下流側に位置する円弧部の円弧面から所定の空気吹出し方向（換気ユニットケーシングの前面側右端方向）に接線を延ばした等径のものに構成されている。
【００１２】
そして、同空気吹出口１２ａの出口部分の底壁部（具体的にはベルマウス板１３の右端部分）には、空気吹き出し用流路部材２０との接続用開口部が設けられ、同開口部に対して、上方から下方に延びる空気吹き出し用流路部材２０の上端側空気流入口部１６が接続連通せしめられている。
【００１３】
空気吹き出し用流路部材２０は、上記換気ユニットケーシング４ａの底板部の開口４２を貫通してストレートに下方に延びている。
【００１４】
したがって、以上のような構成では、今例えば上記換気ファン羽根車駆動モータ１１が駆動されると、それに対応して上記換気ファン羽根車１５が回転し、上記外気吸込口４１から吸込まれた外気が、上記換気ファンハウジング１２の下面部側ベルマウス板１３の空気吸込口１４部分から換気ファン羽根車１５内に吸込まれ、その遠心方向に吹き出される。この遠心方向に吹き出される外気は、上記換気ファンハウジング１２がスクロール構造になっていることから、その前端部に位置して右側接線方向に延びる上記空気吹出口１２ａ部分に集められて、その延長方向に吹き出される（図３２の矢印参照）。
【００１５】
この空気吹出口１２ａ部分から後の空気吹出通路は、図３２に示すように、同空気吹出口１２ａの開口面から略等径で、上記空気吹き出し用流路部材２０の空気流入口部１６上部まで延び、その正面側アール面で下方側空気吹き出し用流路部材２０の空気流入口１６方向に略直角に通路方向が変更（曲成）されており、そこで下方に略直角に曲げられて、空気吹き出し用流路部材２０側下流方向に吹き出されて行く（図３２中の矢印参照）。
【先行技術文献】
【特許文献】
【００１６】
【特許文献１】特開２００１−４１５１１号公報（第１−３頁、図１、図２）
【特許文献２】特開２００２−９８３６６号公報（第１−４頁、図１−図５）
【発明の概要】
【発明が解決しようとする課題】
【００１７】
ところで、上記の構成では、図３２のように、上記空気吹出口１２ａから空気吹き出し用流路部材２０内に到る空気吹出通路が、全体として略同一の断面積で連通している。したがって、上記空気吹出口１２ａから出た換気ファン羽根車１５の運転音が、同空気吹出口１２ａの延長方向正面のアール面形状の壁面で破線矢印のように衝突反射して、そのまま空気流入口部１６を介して空気流とともに下方側空気吹き出し用流路部材２０側に搬送されることになる。
【００１８】
しかも、上述のような換気ユニット４の場合、一般に上記空気吹き出し用流路部材２０は、通路径も余り大きくない相当な長さのホースを使用して室内機側に外気を供給するように構成されているために、換気要求に応えて多くの風量を供給しようとすれば、その換気ファン（送風機）は相当に高静圧なものとなり、高速運転（例えば５５００〜６０００ｒｐｍ）を必要とすることになる。したがって、その分必然的に運転騒音が大きくなり、それがそのまま上記のように空気吹出口１２ａから、空気吹き出し用流路部材２０、ホースを介して室内に搬送されると、騒音面で室内の快適性を相当に悪化させる問題がある。
【００１９】
また、このようにして室内側に搬送される騒音は、上記のような換気ファン羽根車１５側の運転音だけでなく、図３２のように略等径で直角方向に曲成された空気吹出通路により直角方向に流れの方向が変えられる空気流入口部１６直下（内側）での流れの剥離によって生じる騒音もある。
【００２０】
そして、このような問題は、上記のような換気ユニットを、上記のような加湿ユニットとは関係なく換気ユニット単体のものとして構成した場合にも全く同様である。
【００２１】
本願発明は、以上のような問題を解決するためになされたもので、上記換気ファンのファンハウジングにおける空気吹出口部付近、又はその下流に位置して有効な消音空間を設けることにより、上述のような運転騒音や剥離音の伝播量を可及的に低減させることができるようにした換気ユニットを提供することを目的とするものである。
【課題を解決するための手段】
【００２２】
本願発明は、同目的を達成するために、次のような課題解決手段を備えて構成されている。
【００２３】
（１） 第１の課題解決手段
この発明の第１の課題解決手段は、換気ファン羽根車１５と、この換気ファン羽根車１５を収納するスクロール構造の換気ファンハウジング１２と、この換気ファンハウジング１２の底板部中央に設けられた空気吸込口１４と、上記換気ファンハウジング１２の外周部接線方向に開口された空気吹出口１２ａとを備え、上記換気ファンハウジング１２の上記空気吹出口１２ａの出口部分に、下方に延びる換気空気吹き出し用の流路部材２０を付設するようにしてなる換気ユニットにおいて、上記換気ファンハウジング１２の空気吹出口１２ａ部分を、上記換気空気吹き出し用の流路部材２０，２０ｆの入口部１６を超えて空気吹出方向に所定寸法延長することによって、上記換気ファンハウジング１２の空気吹出口１２ａの出口部分に、上記換気空気吹き出し用の流路部材２０，２０ｆの入口部１６を包囲する大容積の消音空間１２ｃを形成したことを特徴としている。
【００２４】
以上の構成では、換気ファン羽根車１５が回転すると、外部からの空気が換気ファンハウジング１２の空気吸込口１４から換気ファン羽根車１５内に吸込まれ、その後遠心方向に吹き出される。遠心方向に吹き出される外気は、上記換気ファンハウジング１２がスクロール構造になっていることから、その外周部接線方向に延びる上記空気吹出口１２ａ部分に集められて、その延長方向に吹き出される。
【００２５】
この空気吹出口１２ａ部分から後の空気吹出通路は、同空気吹出口１２ａの出口部分において、水平方向から下方側空気吹き出し用流路部材２０，２０ｆの方向に通路方向が変更され、下方に曲げられて、空気吹き出し用流路部材２０，２０ｆ側に吹き出されて行く。
【００２６】
このため、従来の全体に等径で連続する通路構成では、空気吹出口１２ａの出口部分で、空気吹出口１２ａの延長方向のアール面形状の壁面で衝突反射した羽根車１５の運転音が、そのまま空気流入口部１６を介して下方側空気吹き出し用流路部材２０，２０ｆ側に搬送され、また直角に曲げられる空気流の内側部分で大きな剥離が生じて剥離音が発生していた。
【００２７】
しかし、この発明の課題解決手段の場合、上記空気吹出口１２ａの出口部分に、換気ファンハウジング１２の空気吹出口１２ａ部分を、上記換気空気吹き出し用の流路部材２０，２０ｆの入口部１６を超えて空気吹出方向に所定寸法延長することによって、空気吹出方向に所定寸法奥行が深く、かつ容積が広くなるように拡大されて、上記空気吹き出し用流路部材２０，２０ｆの空気流入口部１６の周囲を囲む大容積の消音空間１２ｃが形成されている。
【００２８】
したがって、上記空気吹出口１２ａから出る換気ファン羽根車１５の運転音は、同大容積の消音空間１２ｃ内において、底面を含む各壁面相互の間で繰り返し、乱反射されて、そのまま直接空気吹き出し用流路部材２０，２０ｆ側に入るようなことがなくなるとともに、その間において効果的に干渉、吸収されて、消音される。
【００２９】
また、空気吹き出し用流路部材２０，２０ｆの空気流入口部１６の外周に空気吹出方向に深い空気留りチャンバーが形成されることになるので、同空気流入口部１６に周囲から均一な流速で吹出空気が流入するようになり、従来のような局部的に大きな剥離が生じなくなる。その結果、圧損が低下するとともに、同剥離による騒音も生じなくなる。
【００３０】
その結果、空気吹き出し用流路部材２０，２０ｆ側に搬送される換気ファン羽根車１５の運転音は非常に小さなものとなる。
【００３１】
（２） 第２の課題解決手段
この発明の第２の課題解決手段は、換気ファン羽根車１５と、この換気ファン羽根車１５を収納するスクロール構造の換気ファンハウジング１２と、この換気ファンハウジング１２の底板部中央に設けられた空気吸込口１４と、上記換気ファンハウジング１２の外周部接線方向に開口された空気吹出口１２ａとを備え、上記換気ファンハウジング１２の上記空気吹出口１２ａの出口部分に、下方に延びる換気空気吹き出し用の流路部材２０，２０ｆを付設するようにしてなる換気ユニットにおいて、上記換気ファンハウジング１２の空気吹出口１２ａ部分を、空気吹出方向と交差し、かつ上記換気空気吹き出し用の流路部材２０，２０ｆの流路方向とも交差する幅方向に所定寸法拡大することによって、上記換気ファンハウジング１２の空気吹出口１２ａの出口部分に、上記換気空気吹き出し用の流路部材２０，２０ｆの入口部１６を包囲する大容積の消音空間１２ｃを形成したことを特徴としている。
【００３２】
以上の構成では、換気ファン羽根車１５が回転すると、外部からの空気が換気ファンハウジング１２の空気吸込口１４から換気ファン羽根車１５内に吸込まれ、その後遠心方向に吹き出される。遠心方向に吹き出される外気は、上記換気ファンハウジング１２がスクロール構造になっていることから、その外周部接線方向に延びる上記空気吹出口１２ａ部分に集められて、その延長方向に吹き出される。
【００３３】
この空気吹出口１２ａ部分から後の空気吹出通路は、同空気吹出口１２ａの出口部分において、水平方向から下方側空気吹き出し用流路部材２０，２０ｆの方向に通路方向が変更され、下方に曲げられて、空気吹き出し用流路部材２０，２０ｆ側に吹き出されて行く。
【００３４】
このため、従来の全体に等径で連続する通路構成では、空気吹出口１２ａの出口部分で、空気吹出口１２ａの延長方向のアール面形状の壁面で衝突反射した羽根車１５の運転音が、そのまま空気流入口部１６を介して下方側空気吹き出し用流路部材２０，２０ｆ側に搬送され、また直角に曲げられる空気流の内側部分で大きな剥離が生じて剥離音が発生していた。
【００３５】
しかし、この発明の課題解決手段の場合、上記空気吹出口１２ａの出口部分に、換気ファンハウジング１２の空気吹出口１２ａ部分を、空気吹出方向と交差し、かつ上記換気空気吹き出し用の流路部材２０の流路方向とも交差する幅方向に所定寸法拡大することによって、幅方向の容積が広くなるように拡大されて、上記空気吹き出し用流路部材２０，２０ｆの空気流入口部１６の周囲を囲む大容積の消音空間１２ｃが形成されている。
【００３６】
したがって、上記空気吹出口１２ａから出る換気ファン羽根車１５の運転音は、同大容積の消音空間１２ｃ内において、底面を含む複数の各壁面相互の間で繰り返し、より効果的に乱反射されて、そのまま直接空気吹き出し用流路部材２０側に入るようなことがなくなるとともに、その間において効果的に干渉、吸収されて、消音される。
【００３７】
また、空気吹き出し用流路部材２０，２０ｆの空気流入口部１６の外周に幅方向に深い空気留りチャンバーが形成されることになるので、同空気流入口部１６に周囲から均一な流速で吹出空気が流入するようになり、従来のような局部的に大きな剥離が生じなくなる。その結果、圧損が低下するとともに、同剥離による騒音も生じなくなる。
【００３８】
その結果、空気吹き出し用流路部材２０側に搬送される換気ファン羽根車１５の運転音は非常に小さなものとなる。
【００３９】
（３） 第３の課題解決手段
この発明の第３の課題解決手段は、上記第１又は第２の課題解決手段の構成において、上記換気空気吹き出し用の流路部材２０部分に大容積の消音空間２１ａを設けたことを特徴としている。
【００４０】
このような構成によると、上記第１又は第２の課題解決手段による作用に加えて、さらに上記換気ファンハウジング１２の空気吹出口１２ａの出口部分よりも下流側である換気空気吹き出し用流路部材２０，２０ｆ部分に設けた消音空間２１ａによる消音作用により、ファン騒音や空気吹き出し用流路部材２０，２０ｆの空気流入口部１６での剥離音が有効に低減され、室内機側への運転音を可及的有効に低減することができる。
【００４１】
（４） 第４の課題解決手段
この発明の第４の課題解決手段は、上記第１，２又は第３の課題解決手段の構成において、消音空間１２ｃは、換気ファンハウジング１２の内周部１２ｄからの出口部分が同換気ファンハウジング１２の内周部１２ｄ側方向に傾斜拡大されていることを特徴としている。
【００４２】
このような構成によると、同内周部１２ｄ側の傾斜拡大部により、前述した換気ファンハウジング１２の空気吹出口１２ａ部分に見られる内周部側から外周部側にかけて斜め方向に流速の速い部分が位置する特有な風速分布を利用して、上記消音空間１２ｃ内に、換気ファン羽根車１５の回転方向と逆方向に旋回しながら流入する強い旋回流を形成し、それによって上記消音空間１２ｃ内の空気流全体を空気吹出用流路部材２０，２０ｆの空気流入口１６に向かう滑らかな流れとすることができる。
【００４３】
その結果、水平方向から下方への曲がり流路部での通風抵抗が低減されるとともに、大容積の消音空間での消音作用により、下流側に伝播される換気ファンの運転音が有効に消音される。
【００４４】
（５） 第５の課題解決手段
この発明の第５の課題解決手段は、上記第１，２，３又は第４の課題解決手段の構成において、空気吹出口１２ａに連通し、給気・排気状態を切り替えるダンパー部材５６を備えるとともに、換気空気吹き出し用の流路部材２０ｆが上記ダンパー部材５６の下方に延び、上記ダンパー部材５６の内部に、上記換気ファンハウジング１２側の流路面積が上記換気空気吹出用の流路部材２０ｆ側の流路面積に対して大きい筒状部材６６が設けられていることを特徴としている。
【００４５】
このような構成によると、同給排気切換用の筒状のダンパー部材５６を有する換気ユニットの場合において、上記第１，第２，第３または第４の課題解決手段の場合と同様の騒音および通風抵抗低減効果を得ることができる。
【発明の効果】
【００４６】
以上の結果、本願発明の換気装置によると、換気ファンハウジングの空気吹出口部分付近、さらには、それよりも下流の換気空気吹き出し用流路部材部分各々の消音空間による消音作用、又はそれら両消音空間の組み合わせによる消音作用により、有効にファン騒音、剥離音が低減され、室外側換気ユニット部分から、室内側への騒音の伝達量を、可及的に低減することが可能となり、室内の快適性の維持（低騒音化）が可能となる。
【００４７】
また換気ファンハウジングの空気吹出口付近での旋回流により、全体の流れを一定の旋回方向に整流することができ、空気吹出用流路部材内への導入をスムーズにして、通風抵抗を低減し、より消音効果を向上させることができる。
【図面の簡単な説明】
【００４８】
【図１】本願発明の各実施の形態に係る換気ユニットが適用される一例としての空気調和機の概略的な構成を示す図である。
【図２】本願発明の実施の形態１に係る換気ユニットの全体的な構成を示す縦断面図である。
【図３】同換気ユニットの要部の作用を示す縦断面図である。
【図４】同換気ユニットの要部の水平断面図である。
【図５】同換気ユニットの運転音測定条件を示す概略図である。
【図６】同換気ユニットの第１の寸法構成による運転音低減効果を示す測定データのグラフである。
【図７】同換気ユニットの第２の寸法構成による運転音低減効果を示す測定データのグラフである。
【図８】同換気ユニットの変形例１の構成を示す水平断面図である。
【図９】同換気ユニットの変形例２の構成を示す水平断面図である。
【図１０】同換気ユニットの変形例３の構成を示す水平断面図である。
【図１１】同換気ユニットの変形例４の構成を示す水平断面図である。
【図１２】同換気ユニットの変形例５の構成を示す水平断面図である。
【図１３】本願発明の実施の形態２に係る換気ユニットの構成を示す水平面図である。
【図１４】同換気ユニットの全体的な構成を示す縦断面図である。
【図１５】本願発明の実施の形態３に係る換気ユニットの構成を示す縦断面図である。
【図１６】同換気ユニットの要部の構成を示す拡大水平断面図である。
【図１７】本願発明の実施の形態４に係る換気ユニットの構成を示す斜視図である。
【図１８】同換気ユニットの換気ファン羽根車部の構成を示す水平断面図である。
【図１９】同換気ユニットの縦断面図である。
【図２０】同換気ユニットの要部拡大縦断面図である。
【図２１】同換気ユニットの空気吹出口要部の作用を示す正面図である。
【図２２】同換気ユニットの要部の作用を示す正面図である。
【図２３】同換気ユニットの要部の作用を示す縦断面図である。
【図２４】同換気ユニットの対比例の構成と作用を示す水平断面図である。
【図２５】本願発明の実施の形態５に係る換気ユニットの構成を示す水平断面図である。
【図２６】同換気ユニットの構成を示す縦断面図である。
【図２７】本願発明の実施の形態６に係る換気ユニットの構成を示す水平断面図である。
【図２８】本願発明の実施の形態７に係る換気ユニットの構成を示す水平断面図である。
【図２９】本願発明の実施の形態８に係る換気ユニットの全体的な構成を示す縦断面図である。
【図３０】本願発明の実施の形態９に係る換気ユニットの全体的な構成を示す縦断面図である。
【図３１】同換気ユニットの構成を示す水平断面図である。
【図３２】従来例に係る換気ユニットの全体的な構成を示す縦断面図である。
【発明を実施するための形態】
【００４９】
＜一適用例としての空気調和機の概略構成＞
先ず、以下に述べる本願発明の各実施の形態に係る換気ユニットが適用される一例としての空気調和機の概略的な構成を、図１に示す。
【００５０】
この空気調和機は、例えば建物の壁１の室内Ｒ側の壁面１ａに取り付けられる室内機２と、室外に設置される室外機３とから構成されている。そして室外機３は、室外熱交換器や室外ファン（図示省略）などを収納した室外空調ユニット５と換気ユニット４とを備えて構成されている。また室内機２内には室内温調用の室内熱交換器２１が収納されている一方、室外空調ユニット５内には室外熱交換器（図示省略）が収納されている。そして、それら各熱交換器およびそれら各熱交換器相互間を各種冷凍機器を介して冷媒配管（図示省略）により接続して、有効な空調用の冷凍回路が構成されている。また、上記室外機３側の換気ユニット４と上記室内機２との間には、上記換気ユニット４からの外気を上記室内機２側に供給するとともに、必要に応じ室内の空気を同換気ユニット４を介して室外へと排出するためのホース（給排気ホース）６が設けられている。
【００５１】
室内機２には、その本体ケーシング２ａ内および本体ケーシング２ａ部分に、室内熱交換器２１、クロスフローファン２２、クロスフローファン２２を回転駆動する室内ファンモータ、内気吸込グリル２３、温調空気吹出口２４、換気運転時の外気吹出ノズル２５等がそれぞれ設けられている。そして、外気吹出ノズル２５に対して、上記ホース６の下流側端部６ｂが接続されている。
【００５２】
一方、室外空調ユニット５の方には、図示はしないが、その本体ケーシング５ａ内に位置して、圧縮機、圧縮機の吐出側に接続される四路切換弁、圧縮機の吸入側に接続されるアキュムレータ、四路切換弁に接続された室外熱交換器、室外熱交換器に接続された電動弁、室外熱交換器での熱交換後の空気を外部に排出するためのプロペラファン等がそれぞれ設けられている。
【００５３】
なお、符号５１は本体ケーシング５ａの前面側に設けられた空気吹出グリルである。
【００５４】
＜実施の形態１＞
図２〜図７は、本願発明の実施の形態１に係る換気ユニットの構成を示している。
【００５５】
この実施の形態は、上記換気ユニット４内の換気ファン１０が、その換気ファンハウジング１２の空気吹出口１２ａの出口部分に大容積の消音空間１２ｃを有し、換気ユニット４側換気ファン１０の運転音を室内機２側に搬送しないように構成されていることを特徴とするものである。
【００５６】
すなわち、この実施の形態の換気ユニット４は、例えば上記のように室外空調ユニット５の上部に重ねて一体に設置されるようになっている。この換気ユニット４は、上記室外空調ユニット５の本体ケーシング５ａに対応した前後左右幅で所定の高さを有する扁平な箱形の換気ユニットケーシング４ａの前面側壁部左側寄りに外気吸込口４１、底壁部右端に外気供給用の空気吹き出し用流路部材２０を挿入接続するための上下方向に貫通した開口４２、内側に換気ファン設置空間４３がそれぞれ設けられている。
【００５７】
換気ファン１０は、換気ファン羽根車駆動モータ１１、この駆動モータ１１により回転駆動される換気ファン羽根車１５、この換気ファン羽根車１５を回転可能に収納した換気ファンハウジング１２、この換気ファンハウジング１２の下面部に設けられ、上記換気ファン羽根車１５の中心軸部分への空気吸込口１４を形成しているベルマウス板１３等からなり、換気ファン羽根車駆動モータ１１、換気ファンハウジング１２は、例えば換気ユニットケーシング４ａの底壁部上に所定の支持部材を介して支持固定されている。
【００５８】
また、換気ファン羽根車１５は、例えば可及的に扁平な遠心ファンよりなり、上方側円板状のハブと下方側ドーナツ板状のシュラウドとの間に多数枚の羽根を回転方向に応じた所定の翼角、所定の翼間隔で周方向に並設して構成されている。また、ベルマウス板１３のＵ状に曲げた空気吸込口１４側開口縁部内には、上記シュラウド側の空気流出口側開口縁部が相対的に所定の隙間を保って相対回転可能に軸方向に所定寸法遊嵌されている。そして、それによって上記換気ファンハウジング１２内送風通路のシール機能が実現されるようになっている。
【００５９】
さらに、換気ファンハウジング１２は、例えば図４から明らかなように、平面スクロール形状をなし、各々半径を異にする複数個の円弧部の連続面からなり、その空気吹出口１２ａ部分の通路形状は、スクロール部の最下流側に位置する円弧部の円弧面から所定の空気吹出し方向（換気ユニットケーシング４ａの前面側右端方向）に接線を延ばした等径のものに構成されている。
【００６０】
そして、同空気吹出口１２ａの出口部分（具体的にはベルマウス板１３の右端部分）の底壁部には、空気吹き出し用流路部材２０との接続用開口部が設けられ、同開口部に対して、上方から下方に略クランク状に曲成されて下方に延びる空気吹き出し用流路部材２０の上端側空気流入口部１６が接続連通せしめられている。
【００６１】
空気吹出用流路部材２０は、上記換気ユニットケーシング４ａの底板部の開口４２を貫通してストレートに下方に延びる上部側第１のストレート部２０ａと、該第１のストレート部２０ａの下端から上記室外空調ユニット５の右側部外方に斜め下方に延びるテーパ部２０ｂと、上記室外空調ユニット５の本体ケーシング５ａ部外方において、上記テーパ部２０ｂの下端から所定寸法下方に延び、前述のホース６の上流端６ａと接続される下部側第２のストレート部２０ｃとから構成されている。そして、第１のストレート部２０ａとテーパ部２０ｂ、テーパ部２０ｂと第２のストレート部２０ｃとの間には、第１，第２の曲がり部Ｌ１，Ｌ２が形成されている。
【００６２】
そして、この実施の形態の場合には、以上の構成において、特に底板として上記のようにベルマウス板１３を備えてなる換気ファンハウジング１２の空気吹出口１２ａの出口部分に、その空気吹出方向に、例えば高さは従来のものと同一であるが所定の長さ（図４のＡ参照）及び幅（図４のＢ参照）だけ前後および右方向に延長拡大された拡大通路部１２ｂが設けられており、それによって、その内部には大容積の消音空間１２ｃが形成されている。
【００６３】
この拡大通路部１２ｂは、その底面部に開口した空気吹き出し用流路部材２０の所定の直径φ１の空気流入口部（接続口部）１６の周囲を包囲する方形の構造をなし、その内壁面は相互に対向する２つの直壁面を３組組合わせた６つの直壁面よりなり、それら各直壁面により空気吹出口１２ａ側から入射した音波の乱反射とそれによる相互の干渉消音作用を生じさせる方形の大容積の消音空間１２ｃを形成している。
【００６４】
したがって、以上のような構成では、今例えば上記換気ファン羽根車駆動モータ１１が駆動されると、それに対応して換気ファン羽根車１５が高回転速度（５５００〜６０００ｒｐｍ）で回転し、上記外気吸込口４１から吸込まれた外気が、上記換気ファンハウジング１２の下面部側ベルマウス板１３の空気吸込口１４部分から換気ファン羽根車１５内に吸込まれ、その遠心方向に吹き出される。この遠心方向に吹き出される外気は、上記換気ファンハウジング１２がスクロール構造になっていることから、その前端部に位置して右側接線方向に延びる上記空気吹出口１２ａ部分に集められて、その延長方向に吹き出される。
【００６５】
この空気吹出口１２ａ部分から後の空気吹出通路は、同空気吹出口１２ａの出口部分に前後方向および右方向に各々容積を拡大して設けられた上記大容積の消音空間１２ｃを介して水平方向から下方側空気吹き出し用流路部材２０の方向に略直角に通路方向が変更（曲成）されており、そこで下方に略直角に曲げられて、空気吹き出し用流路部材２０側に吹き出されて行く（図３の矢印ｃ１参照）。
【００６６】
このため、図１７のような従来の全体に等径な通路構成では、上記空気吹出口１２ａの出口部分で、上記空気吹出口１２ａの延長方向のアール面形状の壁面で衝突反射した羽根車１５の運転音が、そのまま空気流入口部１６を介して下方側空気吹き出し用流路部材２０側に搬送され、また直角に曲げられる空気流の内側部分で大きな剥離が生じて剥離音が発生していたが、以上の構成の場合には、上記のように同部分が空気吹出口１２ａから延長方向（右方向）および前後方向に、それぞれ所定寸法奥行が深く、かつ容積が広くなるように延長拡大されて、空気吹き出し用流路部材２０の空気流入口部１６の周囲を前後左右各方向から略均等な距離で囲む６つの直壁面（左側面の多くは上記空気吹出口１２ａが占めるが）を備えた大容積の消音空間１２ｃが形成されている。
【００６７】
したがって、上記空気吹出口１２ａから出る換気ファン羽根車１５の運転音は、同大容積の消音空間１２ｃ内において当該各直壁面相互の間で繰り返し、乱反射されて、そのまま直接空気吹き出し用流路部材２０側には入らなくなるとともに、その間に効果的に干渉、吸収されて、消音される（図３の矢印ａ，ｂ参照）。その結果、空気吹き出し用流路部材２０側に搬送される換気ファン羽根車１５の運転音は非常に小さなものとなる。
【００６８】
また、空気吹き出し用流路部材２０の空気流入口部１６の全周（３６０°方向）に均等に空気留りチャンバーが形成されることになるので、同空気流入口部１６に全周囲から均一な流速で吹出空気が流入するようになり（図３の矢印ｃ２，ｃ３参照）、従来のような局部的に大きな剥離が生じなくなる。その結果、圧損が低下するとともに同剥離による騒音も生じなくなる。
【００６９】
なお、上記拡大通路部１２ｂ内の消音空間１２ｃの各直壁面には、必要に応じて吸音材が貼設される。
【００７０】
そして、そのようにすれば、吸音作用が大きく向上し、より消音効果が高くなる。
【００７１】
（運転音の測定例）
上記消音空間１２ｃによる消音効果は、その容積および形状を決める上記拡大通路部１２ｂ各直壁面部の拡大寸法Ａ，Ｂと上記空気吹き出し用流路部材２０の空気流入口部１６の開口径φ１との関係によって左右される。
【００７２】
今、これらを図４のように設定して、図５のような測定条件の下で、室内機２から生じる運転音を測定して見た。
【００７３】
それによると、先ず上記拡大通路部１２ｂにおける空気吹出口１２ａ出口部分下面の空気吹き出し用流路部材２０の空気流入口部１６の中心位置から空気吹出口１２ａの空気吹出方向（延長方向）の拡大される奥行きＡと空気吹き出し用流路部材２０の空気流入口部１６の直径φ１との関係Ａ／φ１は、例えば図６のようになり、Ａ／φ１の寸法比が０．５以上の範囲が、圧損、運転音共に低くなることが判明した。Ｂ／φ１＝０．４に固定（φ１＝３２ｍｍ）。
【００７４】
また、上記拡大部１２ｂにおける空気吹出口１２ａ出口部分下面の空気吹き出し用流路部材２０の空気流入口部１６の前縁、後縁各位置から空気吹出口１２ａの空気吹出方向（延長方向）前後両側の拡大される奥行き深さＢ，Ｂと空気吹き出し用流路部材２０の空気流入口部１６の直径φ１との関係Ｂ／φ１は、例えば図７のようになり、Ｂ／φ１の寸法比が０．２以上の範囲が、圧損、運転音共に低くなることが判明した。Ａ／φ１＝０．５に固定（φ１＝３２ｍｍ）。
【００７５】
（変形例）
上記実施の形態１の換気ユニットの構成は、上述のような構成の他、例えば以下のような種々の変形が可能である。
【００７６】
（１） 変形例１
この例は、図８に示すように、上述の空気吹出口１２ａ側の吹出方向の長さを短かくして、拡大通路部１２ｂによる消音空間１２ｃを可及的に換気ファン羽根車１５方向に寄せ、空気吹き出し用流路部材２０の空気流入口部１６の略全周（特に左側面）をも可能な限り有効に消音空間１２ｃの直壁面で囲むようにして、より乱反射効率を向上させ、干渉による消音効果を一層向上させるとともに、空気流入口部１６への均一流入効果を一層高くして、より圧損、剥離音を低減するようにしたことを特徴とするものである。
【００７７】
（２） 変形例２
この例は、図９に示すように、拡大通路部１２ｂの各直壁面部の内、前面側直壁面部のケーシング前方への拡大を止め、右側および後方への拡大のみとしたものである。
【００７８】
このようにしても、略上記実施の形態１と同様の消音効果を得ることができる。
【００７９】
（３） 変形例３
この例は、図１０に示すように、拡大通路部１２ｂの各直壁面部の内、前面側直壁面部のケーシング前方への拡大を止めるとともに、前面側から右側面側の両直壁面部を前後方向にカールするアール面とした上で、右側および後方への拡大を図ったものである。
【００８０】
このようにしても、略上記実施の形態１と同様の消音効果を得ることができる。
【００８１】
（４） 変形例４
この例は、図１１に示すように、拡大通路部１２ｂの各直壁面部の内、後面側直壁面部のケーシング後方への拡大を止め、前面側および右側への拡大を図ったものである。
【００８２】
このようにしても、略上記実施の形態１と同様の消音効果を得ることができる。
【００８３】
なお、この場合において、図９のような構成を組み合わせることもできる。
【００８４】
（５） 変形例５
この例は、図１２に示すように、拡大通路部１２ｂの各直壁面部の前後および右側面側各直壁面部の拡大に加えて、上面側直壁面部の上方への拡大をも図ったものである。
【００８５】
このようにすると、乱反射による干渉作用が上下方向でも生じやすくなり上記実施の形態１よりも消音効果を向上させることができる。
【００８６】
＜実施の形態２＞
次に図１３および図１４は、本願発明の実施の形態２に係る換気ユニットの構成を示している。
【００８７】
この実施の形態は、上記換気ユニット４が、その空気吹出口１２ａの出口部分に上記実施の形態１と同様の第１の消音空間２１ｃを有するとともに、さらに、その下流側空気吹き出し用流路部材２０の途中に第２の消音空間２１ａを有し、それらによって順次段階的に消音して換気ユニット１４側換気ファン羽根車１５の運転音並びに空気流入口部１６での剥離音を可及的に室内機２側に搬送しないように構成されていることを特徴とするものである。
【００８８】
すなわち、この実施の形態の換気ユニット４は、上記実施の形態１の場合と同様に、例えば前述のように室外空調ユニット５の上部に重ねて一体に設置されるようになっている。この換気ユニット４は、上記室外空調ユニット５の本体ケーシング５ａに対応した前後左右幅で所定の高さを有する偏平な箱形の換気ユニットケーシング４ａの前面側壁部左側寄りに外気吸込口４１、底壁部右端に外気供給用の空気吹き出し用流路部材２０を挿入接続するための上下方向に貫通した開口４２、内側に換気ファン設置空間４３がそれぞれ設けられている。
【００８９】
換気ファン１０は、換気ファン羽根車駆動モータ１１、この駆動モータ１１により回転駆動される換気ファン羽根車１５、この換気ファン羽根車１５を回転可能に収納した換気ファンハウジング１２、この換気ファンハウジング１２の下面部に設けられ、上記換気ファン羽根車１５の中心軸部分への空気吸込口１４を形成しているベルマウス板１３等からなり、換気ファン羽根車駆動モータ１１、換気ファンハウジング１２は、例えば換気ユニットケーシング４ａの底壁部上に所定の支持部材を介して支持固定されている。
【００９０】
また、換気ファン羽根車１５は、例えば可及的に扁平な遠心ファンよりなり、上方側円板状のハブと下方側ドーナツ板状のシュラウドとの間に多数枚の羽根を回転方向に応じた所定の翼角、所定の翼間隔で周方向に並設して構成されている。また、ベルマウス板１３のＵ状に曲げた空気吸込口１４側開口縁部内には、上記シュラウド側の空気流入口側開口縁部が相対的に所定の隙間を保って相対回転可能に軸方向に所定寸法遊嵌されている。そして、それによって上記換気ファンハウジング１２内送風通路のシール機能が実現されるようになっている。
【００９１】
さらに、換気ファンハウジング１２は、例えば図４から明らかなように、平面スクロール形状をなし、各々半径を異にする複数個の円弧部の連続面からなり、その空気吹出口１２ａ部分の通路形状は、スクロール部の最下流側に位置する円弧部の円弧面から所定の空気吹出し方向（換気ユニットケーシング４ａの前面側右端方向）に接線を延ばした等径のものに構成されている。
【００９２】
そして、同空気吹出口１２ａの出口部分の底壁部（具体的にはベルマウス板１３の右端部分）には、空気吹き出し用流路部材２０との接続用開口部が設けられ、同開口部に対して、上方から下方に略クランク状に曲成されて下方に延びる空気吹き出し用流路部材２０の上端側空気流入口部１６が接続連続せしめられている。
【００９３】
空気吹き出し用流路部材２０は、上記換気ユニットケーシング４ａの底板部の開口４２を貫通してストレートに下方に延びる上部側第１のストレート部２０ａと、該第１のストレート部２０ａの下端から上記室外空調ユニット５の右側部外方に斜め下方に延びるテーパ部２０ｂと、上記室外空調ユニット５の本体ケーシング５ａ部外方において、上記テーパ部２０ｂの下端から所定寸法下方に延び、前述のホース６の上流端６ａと接続される下部側第２のストレート部２０ｃとから構成されている。
【００９４】
そして、第１のストレート部２０ａとテーパ部２０ｂ、テーパ部２０ｂと第２のストレート部２０ｃとの間には、第１，第２の曲がり部Ｌ１，Ｌ２が形成されている。
【００９５】
そして、この実施の形態の場合にも、底板として上記のようにベルマウス板１３を備えてなる換気ファンハウジング１２の空気吹出口１２ａの出口部分に、その空気吹出方向に、例えば高さは従来のものと同一であるが、所定の長さ及び幅だけ前後、右方向に所定寸法延長拡大された拡大通路部１２ｂが設けられており、その内部には大容積の消音空間１２ｃが形成されている。拡大通路部１２ｂは、その底面部に接続開口されている空気吹き出し用流路部材２０の空気流入口部１６の周囲を包囲する略方形の構造をなし、その内壁面は相互に対向する２つの直壁面を３組組み合わせた６つの直壁面よりなり、それら各直壁面により第１の消音手段としての方形の大容積の第１の消音空間１２ｃが形成されている。
【００９６】
したがって、以上のような構成では、今例えば上記換気ファン羽根車駆動モータ１１が駆動されると、それに対応して上記実施の形態１の場合と同様に換気ファン羽根車１５が高回転速度（５５００〜６０００ｒｐｍ）で回転し、上記外気吸込口４１から吸込まれた外気が、上記換気ファンハウジング１２の下面部側ベルマウス板１３の空気吸込口１４部分から換気ファン羽根車１５内に吸込まれ、その遠心方向に吹き出される。この遠心方向に吹き出される外気は、上記換気ファンハウジング１２がスクロール構造になっていることから、その前端部に位置して右側接線方向に延びる上記空気吹出口１２ａ部分に集められて、その延長方向に吹き出される。
【００９７】
この空気吹出口１２ａ部分から後の空気吹出通路は、同空気吹出口１２ａの出口部分に前後および右方向に容積を拡大して設けられた上記大容積の第１の消音空間１２ｃを介して吹出方向である水平方向から下方側空気吹き出し用流路部材２０の方向に略直角に通路方向が変更（曲成）されており、そこで下方に略直角に曲げられて、空気吹き出し用流路部材２０側に吹き出されて行く。
【００９８】
このため、図１７のような従来の全体に等径な通路構成では、上記空気吹出口１２ａの出口部分で、上記空気吹出口１２ａの延長方向のアール面形状の壁面で衝突反射した羽根車１５の運転音が、そのまま空気流入口部１６を介して下方側空気吹き出し用流路部材２０側に搬送され、また直角に曲げられる空気流の内側部分で大きな剥離が生じて剥離音が発生していたが、以上の構成の場合には、上記のように同部分が空気吹出口１２ａから延長方向（右方向）および前後右方向に、それぞれ所定寸法奥行が深く、かつ容積が広くなるように延長拡大されて、空気吹き出し用流路部材２０の空気流入口部１６の周囲を前後左右各方向から略均等な距離で囲む６つの直壁面（左側面の多くは上記空気吹出口１２ａが占めるが）を備えた大容積の消音空間１２ｃが形成されている。
【００９９】
したがって、上記空気吹出口１２ａから出る換気ファン羽根車１５の運転音は、同大容積の消音空間１２ｃ内において当該各直壁面相互の間で繰り返し、乱反射されて、そのまま直接空気吹き出し用流路部材２０側には入らなくなるとともに、その間に効果的に干渉、吸収されて、消音される。その結果、空気吹き出し用流路部材２０側に搬送される換気ファン羽根車１５の運転音は非常に小さなものとなる。
【０１００】
また、空気吹き出し用流路部材２０の空気流入口部１６の全周（３６０°方向）に均等に空気留りチャンバーが形成されることになるので、同空気流入口部１６に全周囲から均一な流速で吹出空気が流入するようになり、従来のような局部的に大きな剥離が生じなくなる。その結果、圧損が低減されるとともに、同剥離による騒音も生じなくなる。
【０１０１】
一方、それに加えて、この実施の形態では、上記空気吹き出し用流路部材２０には、その途中の第１の曲がり部Ｌ１部分に位置して、コーナー部材として図示のような構造の第２の拡大通路部２１が設けられており、その内部には第２の消音手段である大容積の第２の消音空間２１ａが形成されている。
【０１０２】
この第２の拡大通路部２１は、例えば図１４に示すように、その上方から下方へのストレート部の通路径が上記第１のストレート部２０ａの直径φ２よりも所定寸法大径で同ストレート部からテーパ部２０ｂの方向に沿う下部の通路径がテーパ部２０ｂの直径φ３よりも所定寸法２Ｄだけ大径で、同下部の下面はテーパ部２０ｂの上端側開口部下縁よりも所定寸法Ｄだけ下方に突出しており、それに対応した大容積の第２の消音空間２１ａを形成している。
【０１０３】
したがって、この実施の形態の構成では、上記のようにして第１の消音空間１２ｃで消音されて小さくなった運転音が、さらに、その下流側空気吹き出し用流路部材２０途中の第２の消音空間２１ａで、干渉、吸収されて２段階に消音される。その結果、消音効果が大きく向上する。また、空気流入口部１６で生じた剥離音も合わせて消音される。
【０１０４】
上記のような換気空気吹き出し用の流路部材２０の流路の曲がり部Ｌ１では、送風される空気の剥離が生じやすく、同部分でも騒音が発生しやすい。したがって、同部分に消音空間２１ａを設けると、トータルの騒音の低減に特に効果的である。
【０１０５】
なお、この実施の形態の場合にも、上記第１，第２の拡大通路部１２ｂ，２１内の第１，第２の消音空間１２ｃ，２１ａの各壁面には、必要に応じて吸音材が貼設される。
【０１０６】
そして、そのようにすれば、吸音作用が大きく向上し、より消音効果が高くなる。
【０１０７】
（変形例）
なお、以上の第２の消音空間２１ａは、それ単独でも有効な消音作用を有する。したがって、上記のように第１の消音空間１２ｃとの組合せが必須の条件でないことは、もちろんである。
【０１０８】
＜実施の形態３＞
次に図１５および図１６は、本願発明の実施の形態３に係る換気ユニットの構成を示している。
【０１０９】
この実施の形態の構成では、上記実施の形態２の構成と同様に第２の拡大通路部２１、第２の消音空間２１ａを形成するようにした場合において、例えば第２の拡大通路部２１の通路形状を図１５のように変更して、空気吹き出し用流路部材２０の第１のストレート部２０ａの通路下部を下方に長くストレートに延設するとともに、同延設部を深さＨ、直径φ３の大容積の第２の消音空間２１ａに形成する。
【０１１０】
他方、下流側テーパ部２０ｂの通路上流側を、同第２の消音空間２１ａの上端側で連通させるようにしたことを特徴としている。
【０１１１】
その他の、上流側空気吹出口１２ａの出口部分の第１の拡大通路部１２ｂ、第１の消音空間１２ｃについては、例えば図１６に示すように左右方向に幅Ｗ１、前後方向に奥行Ｗ２の拡大された通路部、消音空間部として、上記実施の形態１のものと全く同様の有効な消音作用を実現している。
【０１１２】
このような構成によれば、第２の消音空間２１ａが、本来の吹出通路（テーパ部２０ｂ側）とＹ形に深く分岐したものとなり、第２の消音空間２１ａ内に入射した運転騒音等の反射音が殆ど本来の通路（テーパ部２０ｂ側）側に反射されないようになる。したがって、消音効果が一段と向上する。
【０１１３】
＜実施の形態４＞
次に図１７〜図２３は、本願発明の実施の形態４に係る換気ユニットの構成と作用を示している。
【０１１４】
この実施の形態の構成では、上記各実施の形態の構成の場合と同様に、換気ファンハウジング１２の空気吹出口１２ａの出口部分に拡大通路部１２ｂを設け、同拡大通路部１２ｂによって換気空気吹き出し用の流路部材２０の空気流入口部１６を包囲する大容積の消音空間（前後方向の奥行Ｄ１，Ｄ２）１２ｃを形成してなる換気ユニットにおいて、例えば図１７および図２２に示すように、さらに上記大容積の消音空間１２ｃの上記換気ファンハウジング１２の内周部１２ｄに連続する出口部分を傾斜拡大部１２ｅとすることによって流れが旋回しやすい緩やかな拡がりをもたせる一方、同換気ファンハウジング１２の外周部１２ｈに連続する部分を上記通常の拡大部１２ｇとすることにより、例えば図２１に示すような換気ファンハウジング１２の空気吹出口１２ａの吹出面Ｚ部分に見られる斜め方向の特有な風速分布ａ（ａ１〜ａ３部分で流速が大きい）に起因して生じる消音空間１２ｃ内での換気ファン羽根車１５の回転方向と逆方向に旋回しながら流入する強い旋回流を有効に利用して、当該消音空間１２ｃの上記換気ファンハウジング１２の内周部側方向に傾斜状態で緩やかに拡大する拡大空間部（膨出部の奥行Ｄ１）と上記換気ファンハウジング１２の外周部１２ｈ側に拡大する拡大空間部（膨出部奥行Ｄ２）、さらには吹出方向面１２ｆ側に拡大する拡大部で前後左右方向に緩やかに拡大させて外周部から中央部に平面旋回する滑らかな流れに整流し、それによって前後両方向からの流れの衝突を解消して、スムーズに空気吹出用の流路部材２０の空気流入口部１６内に流入させる。
【０１１５】
そして、それによって水平方向から下方への曲がり流路部での通風抵抗を有効に低減させて送風性能を向上させるとともに、上述の大容積の消音空間１２ｃでの消音作用により、下流側に伝播される換気ファン羽根車１５の運転音を有効に消音させるようにしたことを特徴とするものである。
【０１１６】
すなわち、この実施の形態の換気ユニット４は、例えば前述の各実施の形態のものと同様に室外空調ユニットの上部に重ねて一体に設置されるようになっている。この換気ユニット４は、例えば図１７〜図２３に示すように、上記室外空調ユニット５の本体ケーシング５ａに対応した前後左右幅で所定の高さを有する扁平な箱形の換気ユニットケーシング４ａの前面側壁部左側寄りに外気吸込口４１、底壁部右端に外気供給用の空気吹き出し用流路部材２０を挿入接続するための上下方向に貫通した開口（符号省略）、内側に換気ファン設置空間４３がそれぞれ設けられている。
【０１１７】
換気ファン１０は、換気ファン羽根車駆動モータ１１、この駆動モータ１１により回転駆動される換気ファン羽根車１５、この換気ファン羽根車１５を回転可能に収納した換気ファンハウジング１２、この換気ファンハウジング１２の下面部に設けられ、上記換気ファン羽根車１５の中心軸部分への空気吸込口１４を形成しているベルマウス板１３等からなり、換気ファン羽根車駆動モータ１１、換気ファンハウジング１２は、例えば換気ユニットケーシング４ａの底壁部上に所定の支持部材を介して支持固定されている。
【０１１８】
また、換気ファン羽根車１５は、例えば可及的に扁平な遠心ファンよりなり、上方側円板状のハブ１５ａと下方側ドーナツ板状のシュラウド１５ｂとの間に多数枚の羽根１５ｃ，１５・・・を回転方向に応じた所定の翼角、所定の翼間隔で周方向に並設して構成されている。また、ベルマウス板１３の断面Ｕ状に曲げた空気吸込口１４側開口縁部（ベルマウス）１３ａ内には、上記シュラウド１５ｂ側の空気流入口側円弧状の開口縁部１５ｄが相対的に所定の隙間を保って相対回転可能に軸方向に所定寸法遊嵌されている。そして、それによって上記換気ファンハウジング１２内送風通路の有効なシール機能が実現されるようになっている。この場合、上記ベルマウス板１３の断面Ｕ状の開口縁部（ベルマウス）１３ａの縁端（口縁）の高さは、例えば図２０に拡大して示すように、同開口縁部１３ａ基端側折り曲げ部の曲率ｒの中心（軸方向）Ｏ位置を超えないように形成されている。また、同時に上記基端側折り曲げ部およびシュラウド１５ｂの空気流入口側開口縁部１５ｄの曲率は、それぞれ十分に大きく形成されている。その結果、図２０中の矢線で示すように、上記空気吸込口１４から吸込まれた空気は、ベルマウス板１３の断面Ｕ状の開口縁部１３ａおよびそれに対応するシュラウド１５ｂ側開口縁部１５ｄを介して遠心方向に滑らかに流入して行くようになる。これが、後述の強い旋回流を作る上で有効に作用する。
【０１１９】
さらに、換気ファンハウジング１２は、例えば図２０から明らかなように、平面スクロール形状をなし、各々半径を異にする複数個の円弧部の連続面からなり、その空気吹出口１２ａ部分の通路形状は、スクロール部の最下流側に位置する円弧部の円弧面から所定の空気吹出し方向（換気ユニットケーシング４ａの前面側右端方向）に接線を延ばした等径のものに構成されている。
【０１２０】
そして、同空気吹出口１２ａの出口部分（具体的にはベルマウス板１３の右端部分）の底壁部には、換気空気吹き出し用流路部材２０との接続用開口４２が設けられ、同開口４２に対して、空気吹き出し用流路部材２０の上端側空気流入口部１６が接続連通せしめられている。
【０１２１】
この換気空気吹出用流路部材２０は、上記換気ユニットケーシング４ａ底壁部の開口４２から所定の長さ下方に延びる入口部の流路断面積が出口部の流路断面積よりも大きい上部側漏斗部２０ｄと、該漏斗部２０ｄの下端部から所定寸法下方にストレートに延び、ホース６の上流端６ａと接続される下部側等径部２０ｅとから構成されている。
【０１２２】
そして、この実施の形態の場合には、以上の構成において、特に底板として上記のようにベルマウス板１３を備えてなる換気ファンハウジング１２の羽根車１５外周側渦室の底部部分が、例えば図１９に示すように、羽根車１５部分よりも所定寸法Ｄ３だけ深く形成されていて、換気ファン羽根車１５の各点からの循環風がスムーズに形成されるようになっている。さらに、その終端側空気吹出口１２ａの出口部分には、その空気吹出方向に、例えば高さは渦室と同一であるが所定の寸法だけ前後および右方向に延長拡大された拡大通路部１２ｂが設けられており、それによって、その内部には上記各実施の形態のものと同様の消音作用を果たす大容積の消音空間１２ｃが形成されている。
【０１２３】
この拡大通路部１２ｂは、その底面部に開口した換気空気吹き出し用流路部材２０の所定の直径（入口から出口側に次第に小さくなる）の空気流入口部１６の周囲を包囲する方形の構造をなし、その内壁面は相互に対向する２つの直壁面を３組組合わせた６つの直壁面よりなり、それら各直壁面により空気吹出口１２ａ側から入射した音波の乱反射とそれによる相互の干渉消音作用を生じさせる方形の大容積の消音空間１２ｃを形成している。
【０１２４】
そして、同大容積の消音空間１２ｃは、さらに、その換気ファンハウジング１２の内周部（スクロール内側）１２ｄに連続する部分を図示のような斜め方向に拡大する傾斜拡大部１２ｅとする一方、同換気ファンハウジング１２の外周部（スクロール外側）１２ｈに連続する部分および吹出方向端側の部分を上述の実施の形態と同様の通常の拡大部１２ｇ，１２ｆとしている。
【０１２５】
したがって、以上のような構成では、今例えば上記換気ファン羽根車駆動モータ１１が駆動されると、それに対応して上記換気ファン羽根車１５が高回転速度（５５００〜６５００ｒｐｍ）で回転し、上記外気吸込口４１から吸込まれた外気が、上記換気ファンハウジング１２の下面部側ベルマウス板１３の空気吸込口１４部分から換気ファン羽根車１５内に吸込まれ、その後、遠心方向に吹き出される。この遠心方向に吹き出される外気は、上記換気ファンハウジング１２が図１８のようなスクロール構造になっていることから、やがて、その前端部に位置して右側接線方向に延びる上記空気吹出口１２ａ部分に集められて、その延長方向に吹き出される。
【０１２６】
ところで、上記のような羽根車１５の回転（回転方向ω）によって生じる当該羽根車１５の子午面内の流れは、例えば図１９中の矢線（等高線）で示すように、シュラウド１５ｂ側からハブ１５ａ側に偏ったものとなる。その結果、例えば図１７、図１８の換気ファンハウジング１２の後板側から、中板を経て、前板側に到る渦室内流れ（ａ１〜ａ３参照）は、渦室の流路断面積の広がりとともに、緩やかに螺旋状に循環しながら流れる流れとなり、最終的に換気ファンハウジング１２の空気吹出口１２ａ部分の吹出面Ｚにおける風速分布ａは、外周部１２ｈ側底部域ａ１から中間部域ａ２、内周部１２ｄ側上部域ａ３で、特に風速が高い図１７および図２１のような斜めに偏った風速分布となる。
【０１２７】
そして、このような特有な風速分布ａでの吹出風が、上記のような構造の拡大通路部１２ｂの消音空間１２ｃ内に吹き出される。
【０１２８】
そして、この空気吹出口１２ａ部分からの同吹出風は、上記空気吹出口１２ａの出口部分に前後方向および右方向に各々容積を拡大して設けられた上記大容積の消音空間１２ｃを介して水平方向から下方側空気吹き出し用流路部材２０の方向に略直角に通路方向が変更（曲成）されており、そこで下方に略直角に曲げられて、換気空気吹き出し用流路部材２０側に吹き出されて行く。
【０１２９】
このため、前述の図３２のような従来の全体に等径な通路構成では、上記空気吹出口１２ａの出口部分で、上記空気吹出口１２ａの延長方向のアール面形状の壁面で衝突反射した羽根車１５の運転音が、そのまま空気吹出用流路部材２０の空気流入口部１６を介して下方側に搬送され、また直角に曲げられる空気流の内側部分で大きな剥離が生じて剥離音が発生していたが、以上の構成の場合には、上記のように同部分が空気吹出口１２ａから延長方向（右方向）および前後方向に、それぞれ所定寸法奥行が深く、かつ容積が広くなるように延長拡大されて、空気吹き出し用流路部材２０の空気流入口部１６の周囲を前後左右各方向から略均等な距離で囲む６つの直壁面（左側面の多くは上記空気吹出口１２ａが占めるが）を備えた大容積の消音空間１２ｃが形成されている。
【０１３０】
したがって、上記空気吹出口１２ａから出る換気ファン羽根車１５の運転音は、同大容積の消音空間１２ｃ内において当該各直壁面相互の間で繰り返し、乱反射されて、そのまま直接空気吹き出し用流路部材２０側には入らなくなるとともに、その間に効果的に干渉、吸収されて、消音される（図２３の矢印ａ，ｂ参照）。その結果、空気吹き出し用流路部材２０側に搬送される換気ファン羽根車１５の運転音は非常に小さなものとなる。
【０１３１】
また、空気吹き出し用流路部材２０の空気流入口部１６の全周（３６０°方向）に均等に空気留りチャンバーが形成されることになるので、同空気流入口部１６に全周囲から均一な流速で吹出空気が流入するようになり（図２３の矢印ｃ１，ｃ２，ｃ３参照）、従来のような局部的に大きな剥離が生じなくなる。その結果、圧損が低下するとともに同剥離による騒音も生じなくなる。
【０１３２】
そして、上記大容積の消音空間１２ｃは、さらに上記換気ファンハウジング１２の内周部１２ｄ側からの出口部分が同換気ファンハウジング１２の内周部１２ｄ側方向に傾斜拡大されている一方、上記換気ファンハウジング１２の外周部１２ｈ側からの出口部分が同換気ファンハウジング１２の外周部１２ｈ側方向に拡大されている。
【０１３３】
したがって、このような構成によると、例えば図１７および図２２に示すように、同内周部１２ｄ側の傾斜拡大部１２ｅと外周部１２ｈ側の拡大部１２ｇの各々により、前述した換気ファンハウジング１２の空気吹出口１２ａ部分に見られる内周部１２ｄ側から外周部１２ａ側にかけて斜め方向に流速の速い部分ａ１〜ａ３が位置する特有な風速分布ａを利用して、それによって上記消音空間１２ｃ内の空気流全体を、上記空気吹出用流路部材２０の空気流入口部１６に向かう滑らかな旋回流れとすることができる。その結果、水平方向から下方への曲がり流路部での通風抵抗が低減されるとともに、大容積の消音空間１２ｃでの消音作用により、下流側に伝播される換気ファンの運転音が有効に消音される。
【０１３４】
その結果、送風性能も向上し、運転速度（ファン回転数）を低下させることもできる。
【０１３５】
例えば、前述の図９、図１０の構成に近い図２４に示すような拡大通路構造の場合、換気ファンハウジング１２の外周部１２ｈ側に拡大部がなく、一方内周部１２ｄ側に拡大部があっても、それが上述のような傾斜拡大部とはなっていないために、上記内周部１２ｄ側および外周部１２ｈ側両方向からの吹出空気が、図示のごとく上記消音空間１２ｃ内の外周部より部分で衝突し、大きな乱れを発生させる。その結果、当該換気空気吹出用流路部材２０側への曲がり流路部分の通風抵抗が増大する。
【０１３６】
しかし、上述の実施の形態の構成では、そのような問題が解消される。そして、例えば図２４の構成と同一の送風性能を得ようとした場合、最高回転数６５００ｒｐｍであったものを、６２００ｒｐｍ程度まで低下させることが可能となった。その結果、室内機ユニット側の騒音も３ｄＢ低下した。
【０１３７】
＜実施の形態５＞
次に図２５および図２６は、本願発明の実施の形態６に係る換気ユニットの構成を示している。
【０１３８】
以上の実施の形態４の構成では、換気ファンハウジング１２の空気吹出口１２ａ下流部分に大容積の消音空間１２ｃを設けるに際して、上記換気ファンハウジング１２の内周部１２ｄ側から延びる出口側部分を同内周部１２ｄ側方向に傾斜拡大（拡大部１２ｅ）させる一方、上記換気ファンハウジング１２の外周部１２ａ側から延びる出口側部分が同換気ファンハウジング１２の外周部側方向に拡大（拡大部１２ｇ）されて、それぞれ所定の奥行Ｄ１，Ｄ２の膨出部を形成するようにした。
【０１３９】
そして、それに加えて、同消音空間１２ｃ下部側の空気吹出用流路部材２０の空気流路の空気流入口部１６を入口側の流路断面積が出口側の流路断面積よりも大きい漏斗形状のものに形成した。
【０１４０】
しかし、同空気吹出用流路部材２０の空気流路形状は、必ずしも、そのような漏斗形状のものに限らず、例えば図２５および図２６に示されるような等径構造のものとしても略同様の作用効果を得ることができる。
【０１４１】
＜実施の形態６＞
次に図２７は、本願発明の実施の形態６に係る換気ユニットの構成を示している。
【０１４２】
この実施の形態の構成では、上記実施の形態４の構成の場合と同様に換気ファンハウジング１２の空気吹出口１２ａの出口部分に上記換気空気吹き出し用の流路部材２０の空気流入口部１６を包囲する大容積の消音空間１２ｃを形成してなる換気ユニットにおいて、上記大容積の消音空間１２ｃの換気ファンハウジング１２の内周部１２ｄに連続する部分を傾斜拡大部１２ｅとする一方、同換気ファンハウジング１２の外周部１２ｈに連続する部分を通常の拡大部１２ｇとすることにより、強い旋回流を形成し、下方側空気吹出用流路部材２０の空気流入口部１６内への空気の流入をスムーズにして通風抵抗の低減を図るとともに、消音空間による消音作用を向上させる一方、さらに下方側空気吹出用流路部材２０の漏斗形状の空気流入口部１６を換気ファンハウジング１２の内周部１２ｄ側方向に所定寸法偏心させたことを特徴とするものである。
【０１４３】
このような構成を採用すると、下方側空気吹出用流路部材２０の空気流路出口側１６ｂの位置（固定）を変えることなく、空気流路入口側１６ａの位置を偏心させて、その径を拡大することにより、適切に漏斗形状の空気吹出用流路を形成することができ、ホース側へのスムーズな空気の導入を図ることができる。
【０１４４】
＜実施の形態７＞
次に図２８は、本願発明の実施の形態７に係る換気ユニットの構成を示している。
【０１４５】
この実施の形態の構成では、上記実施の形態４の構成の換気ユニットにおいて、大容積の消音空間１２ｃは、例えば上述した換気ファンハウジング１２の内周部１２ｄ側方向の傾斜拡大部１２ｅを傾斜面のみによるものとして、奥行きＤ１の凸状の膨出部（仮想線部参照）をなくしたことを特徴とするものである。
【０１４６】
このような構成によると、消音効果は若干低下するが、内側からの旋回流向上作用を期待でき、上記実施の形態４のものと略同様の作用効果を実現することができる。
【０１４７】
＜実施の形態８＞
次に図２９は、本願発明の実施の形態８に係る換気ユニットの構成を示している。
【０１４８】
この実施の形態の構成では、上記実施の形態４の構成の換気ユニットにおいて、大容積の消音空間１２ｃは、上述した換気ファンハウジング１２の外周部１２ｈ側方向の拡大部（奥行Ｄ２）１２ｇについては、その膨出部側を図示のような傾斜面に形成して、より流入空気が旋回しやすくしたことを特徴とするものである。
【０１４９】
このような構成によっても、上記実施の形態４のものと略同様又はそれ以上の作用効果を実現することができる。
【０１５０】
＜実施の形態９＞
次に図３０および図３１は、本願発明の実施の形態９に係る換気ユニットの構成を示している。
【０１５１】
この実施の形態の構成では、上記実施の形態１〜８のものと同様の空気調和機の室外機に設置される換気ユニットに関し、給排気切換用ダンパー部材を有していて、室外空気を室内に送り込む（給気運転）ことができ、かつ室内空気を室外に排出（排気運転）できる給排気両用タイプの換気ユニットに対して、上記実施の形態４と同様の拡大通路部および空気流路構成を採用したことを特徴とするものである。
【０１５２】
先ず図３０には、空気調和機の室外空調ユニット５（図１参照）に本実施の形態の換気ユニット４を付設した状態を示している。この換気ユニット４は、換気ユニットケーシング４ａ内に換気ファンユニット５０とダンパーユニット５１とを配置して構成され、上記室外空調ユニット５の上面側に載置されるようになっている。そして、この換気ユニット４は、そのダンパーユニット５１側に設けられた第１給排気口５２と室内機側の排気ノズルとをホース５４によって接続し、同ホース５４を介して給排気を行うようになっている。
【０１５３】
すなわち、給気運転時には、上記ダンパーユニット５１によって上記実施の形態４と同様の換気ファンユニット５０側の空気吹出口１２ａが、大容積の消音空間１２ｃおよび後述する筒状部材６６を介して上記第１給排気口５２に連通される。従って、室外空気は上記換気ユニットケーシング４ａに形成した第２給排気口４１から空気吸込口１４に吸入され、上記空気吹出口１２ａから吹き出された後、上記消音空間１２ｃ、上記筒状部材６６、上記第１給排気口５２、上記ホース５４を通って上記室内空調ユニット側に送給され、該室内空調ユニットに設けた上記給排気ノズルから室内へ吹き出される。
【０１５４】
一方、排気運転時には、上記ダンパーユニット５１によって上記換気ファンユニット５０側の空気吸込口１４が上記第１給排気口５２側に連通される。従って、上記室内空調ユニット側の給排気ノズルから吸い込まれる室内空気は、上記ホース５４を通って上記第１給排気口５２から上記換気ファンユニット５０側の空気吸込口１４に吸入され、さらに上記空気吹出口１２ａから吹き出された後、上記第２給排気口４１を通して室外へ排出される。
【０１５５】
このような給気運転と排気運転とが、空気調和機の運転と同時あるいは別個に適宜実行されることで室内の換気が行われ、良好な室内環境が得られる。
【０１５６】
上記換気ユニット４の換気ユニットケーシング４ａは、その底壁にホース５４連結用のソケット部材２０ｆが嵌挿される開口が設けられているとともに、その側壁には、給気運転時には空気導入口として、排気運転時には空気排出口として機能する第２給排気口４１が設けられている。上記第１給排気口５２は、上記ソケット部材２０ｆの内側に形成されている。また、上記ソケット部材２０ｆは、後述する筒状部材６６と対応して、上記実施の形態４の換気空気吹出用の流路部材として機能する。
【０１５７】
上記換気ファンユニット５０は、換気ファン羽根車駆動モータ１１、この駆動モータ１１により回転駆動される換気ファン羽根車（ハブ１５ａ、シュラウド１５ｂ、羽根１５ｃ，１５ｃ・・・）１５、この換気ファン羽根車１５を回転可能に収納した換気ファンハウジング１２、この換気ファンハウジング１２の下面部に設けられ、上記換気ファン羽根車１５の中心軸部分への空気吸込口１４を形成しているベルマウス板（底板）１３等からなり、換気ファン羽根車駆動モータ１１、換気ファンハウジング１２は、例えば換気ユニットケーシング４ａの底壁部上に所定の支持部材を介して支持固定されている。
【０１５８】
換気ファン羽根車１５は、例えば可及的に扁平な遠心ファンよりなり、上方側円板状のハブ１５ａと下方側ドーナツ板状のシュラウド１５ｂとの間に多数枚の羽根１５ｃ，１５ｃ・・・を回転方向に応じた所定の翼角、所定の翼間隔で周方向に並設して構成されている。また、ベルマウス板１３の空気吸込口１４側開口縁部１３ａ内には、上記シュラウド１５ｂ側の空気流入口側開口縁部が相対的に所定の隙間を保って相対回転可能に軸方向に所定寸法遊嵌されている。そして、それによって上記換気ファンハウジング１２内送風通路の有効なシール機能が実現されるようになっている。
【０１５９】
さらに、換気ファンハウジング１２は、図１８のような平面スクロール形状をなし、各々半径を異にする複数個の円弧部の連続面からなり、その空気吹出口１２ａ部分の通路形状は、スクロール部の最下流側に位置する円弧部の円弧面から所定の空気吹出し方向（換気ユニットケーシング４ａの前面側右端方向）に接線を延ばした等径のものに構成されている。
【０１６０】
そして、同空気吹出口１２ａの出口側下流部分（具体的にはベルマウス板１３の右端部分）の底壁部には、給排気切換用のダンパーユニット５１側にあって換気空気吹出用流路部材の一部として機能する筒状部材６６との接続用開口部４６が設けられ、同開口部４６に対して、上方から下方に延びる筒状部材６６の上端側空気流入口部１６が接続連通せしめられるようになっている。
【０１６１】
なお、上記換気ファンユニット５０は、次に述べるダンパーユニット５１を介して上記換気ユニットケーシング４ａ側に固定されるが、その場合、上記開口部４６および上記筒状部材６６の上記空気流入口部１６が、上記ソケット部材２０ｆ内の第１給排気口５２と同軸上に位置するように固定位置が設定されている。
【０１６２】
一方、上記ダンパーユニット５１は、図示のようなダンパー包設体５５とダンパー本体５６とを備えて構成されている。
【０１６３】
上記ダンパー包設体５５は、板材を略「コ」の字状に折曲させて形成されており、上記ベルマウス板１３と略同等の寸法形状をもつ底壁５５ａと該底壁５５ａの左右両縁からそれぞれ立ち上がる同一高さをもつ一対の側壁５５ｂ，５５ｂとを備えてなる。そして、このダンパー包設体５５は、上記一対の側壁５５ｂ，５５ｂを上記ダンパーユニット５１側の上記ベルマウス板１３の下面に衝合固定し、これと一体化させている。従って、この状態においては、上記ベルマウス板１３と上記ダンパー包設体５５とによって矩形の断面形状をもち、且つその両端５５ｃ，５５ｄ（以下、「第１開口部５５ｃ」及び「第２開口部５５ｄ」という）がそれぞれ開口したトンネル状の空間（貫通空間）５７が形成されている。尚、この空間５７内には、ダンパー本体５６が該空間５７の軸方向（貫通方向）に移動可能に配置される。
【０１６４】
また、上記ダンパー包設体５５は、その底壁５５ａの上記空間５７の右端寄りに対応する位置に、第１給排気口５２を設けるとともに、該第１給排気口５２は上記底壁５５ａから下方へ延出するソケット部材２０ｆ内において連通開口するように、同ソケット部材２０ｆを該底壁５５ａと一体に形成している。
【０１６５】
そして、上記ダンパー包設体１５は、その底壁５５ａを上記換気ユニットケーシング４ａの底壁面に衝合固定することで、該換気ユニットケーシング４ａ側に取り付けられるが、この場合、上記ソケット部材２０ｆは該換気ユニットケーシング４ａ側の開口部４６を通して下方へ延出される。従って、上記ダンパー包設体５５を上記換気ユニットケーシング４ａ側に取り付けた状態においては、該ダンパー包設体５５側の上記第１給排気口５２と上記換気ユニットケーシング４ａ側の上記開口部４６とが上下方向に略重合して配置されることになる。
【０１６６】
上記ダンパー本体５６は、上面が開口した矩形箱状の基部５６ａと該基部５６ａの一つの隅部に連続して側方へ延設された延設部５６ｂとで構成され、上記基部５６ａから上記延設部５６ｂに跨がる底壁６１と、上記基部５６ａの周囲にこれを囲繞するように立設された側壁６２及び上記延設部５６ｂの周囲を球面状に覆う湾曲壁６３とを備えている。また、上記ダンパー本体５６の底壁６１のうち、上記基部５６ａの一側寄りに対応する位置には第１開口６４が、上記延設部５６ｂに対応する位置には第２開口６５が、それぞれ設けられている。
【０１６７】
また、上記第１開口６４には、該第１開口６４から上方へ延びる漏斗形状の筒状部材６６が該ダンパー本体５６と一体に形成されている。この筒状部材６６は、その上端面６６ａが上記側壁６２の上面６２ｃ、すなわち上記ダンパー本体５６の開口面５６ｃと略同等の高さに位置するようにその高さが設定されている。尚、上記筒状部材６６の高さは、少なくともその上端面６６ａが上記側壁６２の上面６２ｃを越えなければ良く、従って、上記筒状部材６６の高さを、その上端面６６ａが上記側壁６２の上面６２ｃよりも僅かに低くなるように設定することもできる。
【０１６８】
このように、上記筒状部材６６の高さは上記ダンパー本体５６の側壁６２の高さと略同等に設定されているが、これらの高さ寸法は、上記ダンパー包設体５５の空間５７の高さ寸法に対応して設定されている。すなわち、図３０に示すように上記ダンパー本体５６は上記ダンパー包設体５５の空間５７内に摺動可能に嵌装配置されるが、この空間５７への嵌装配置状態においては、上記筒状部材６６の上端面５６ａと上記ダンパー本体５６の側壁６２の上面６２ｃが、ともに上記ダンパーユニット５１側の上記ベルマウス板１３に対して微小な隙間を介して対向するように設定されている。
【０１６９】
さらに、上記ダンパー本体５６においては、上記基部５６ａを四角に囲繞する側壁６２の四つの辺のうち、上記第１開口６４に近接する辺を除く他の三辺では、微小間隔を隔てて対向する外側壁６２ａと内側壁６２ｂの二重壁構造とし、これを上記隙間に対するラビリンスシール構造として機能させるようにしている。
【０１７０】
尚、以下においては、上記ダンパー本体５６の上記側壁６２で囲繞された空間のうち、上記筒状部材６６部分を除く部分（筒状部材６６の外側部分）をダンパー内空間６７という。また、上記ダンパー包設体５５の上記第１給排気口５２に対応して設けた上記ソケット部材２０ｆには、上記ホース５４の一端が接続される。
【０１７１】
一方、上記ダンパー本体５６は、上述のように上記ダンパー包設体５５の上記空間５７内に摺動自在に嵌装配置されるが、その場合の摺動方向は上記空間５７の軸方向（矢印Ｆ−Ｒ方向）とされ、かつその摺動に伴って上記ダンパー本体５６の上記第１開口６４と第２開口６５とが択一的に上記ダンパー包設体５５側の上記第１給排気口５２と連通し得るようにその平面方向における相対位置が設定されている。また、上記ダンパー本体５６と上記空気吸込口１４との間においては、上記ダンパー本体５６がその第１開口６４が上記第１給排気口１６と連通する摺動位置に設定されているときには、上記空気吸込口１４が上記ダンパー本体５６の外側に位置してこれとの連通が遮断される一方、上記ダンパー本体５６がその第２開口６５が上記第１給排気口５２と連通する摺動位置に設定されているときには、上記空気吸込口１４が上記ダンパー本体５６の上記ダンパー内空間６７内に位置してこれと連通するように設定されている。
【０１７２】
次に、上記換気ユニットの作動を、給気運転時と排気運転時のそれぞれについて説明する。
【０１７３】
給気運転時には、上記ダンパー本体５６を矢印Ｒ方向へ移動させて、上記ダンパー包設体５５側の上記第１給排気口５２と上記換気ファンユニット５０側の上記開口部４６および空気吹出口１２ａとを、上記ダンパー本体５６の漏斗形状の筒状部材６６を介して連通させる。この状態においては、上記ダンパー本体５６の上記第２開口６５は、上記ダンパー包設体５５の底壁６１によって閉塞されている。
【０１７４】
この状態で、上記ファン羽根車１５が回転駆動され上記換気ファンユニット５０が運転状態とされると、該ファン羽根車１５の吸引力によって上記第２給排気口５３から室外空気が上記内部空間４３内に吸入される。さらに、この室外空気は、上記ダンパー包設体５５の空間５７を通って上記空気吸込口１４から上記換気ファンユニット５０内に吸入され、静圧が高められた状態で、上記空気吹出口１２ａから上記筒状部材６６側に吹き出され、さらに該筒状部材６６から上記第１給排気口５２及び上記ホース５４を通って室内に吹き出され、これによって室内への給気作用が実現される。
【０１７５】
他方、排気運転時には、上記ダンパー本体５６を矢印Ｆ方向へ移動させて、上記ダンパー包設体５５側の上記第１給排気口５２と上記換気ファンユニット５０側の上記空気吸込口１４とを上記ダンパー本体５６の上記ダンパー内空間６７を介して連通させる。この状態においては、上記筒状部材６６は上記ダンパー包設体５５の底壁６１によって閉塞されている。
【０１７６】
この状態で、上記ファン羽根車１５が回転駆動され上記換気ファンユニット５０が運転状態とされると、室内空気は上記ホース５４を通り、さらに上記ダンパー本体５６の上記ダンパー内空間６７を通って上記換気ファンユニット５０にその空気吸込口１４側から吸入される。さらに、上記換気ファンユニット５０に吸入された室内空気は、上記空気吹出口１２ａから上記ダンパー包設体５５の貫通空間５７側に吹き出され、該貫通空間５７の第２開口部５５ｄから上記換気ユニットケーシング４ａの内部空間４３内を通って上記第２給排気口５３から外部へ吹き出され、これによって室内からの排気作用が実現される。
【０１７７】
そして、このような構成の換気ユニットにおいても、上記換気ファンハウジング１２の空気吹出口１２ａ下流部分には、上述の実施の形態４のものと同様の構成の拡大通路部１２ｂよりなる大容積の消音空間１２ｃが設けられる。そして、ソケット部材２０ｆとともに実質的に換気空気吹出用の流路部材の一部を構成している筒状部材６６は、出口部側よりも入口部側の流路断面積が大きい漏斗形状とされている。また大容積の消音空間１２ｃは、上記換気ファンハウジング１２の内周部１２ｄ側方向に傾斜拡大されている一方、上記換気ファンハウジング１２の外周からの出口部分が同換気ファンハウジング１２の外周部１２ａ側方向に拡大されて、上記実施の形態４の場合と同様の滑らかな旋回流生成による通風抵抗低減作用および消音空間による消音作用を果たす。
【０１７８】
その結果、可及的有効に送風性能が向上し、室内空調ユニット側の騒音も可及的に低減される。
【符号の説明】
【０１７９】
４：換気ユニット
４ａ：換気ユニットケーシング
１２：換気ファンハウジング
１２ａ：空気吹出口
１２ｂ：拡大通路部・第１の拡大通路部
１２ｃ：消音空間・第１の消音空間
１２ｄ：換気ファンハウジングの内周部
１２ｅ：傾斜拡大部
１２ｇ：拡大部
１２ｈ：換気ファンハウジングの外周部
１３：ベルマウス板
１６：空気流入口部
２０：空気吹き出し用流路部材
２０ｆ：ソケット部材
２１：第２の拡大通路部
２１ａ：第２の消音空間
５６：ダンパー本体
６６：筒状部材
【図１】
2010156342.tif 000003
【図２】
2010156342.tif 000004
【図３】
2010156342.tif 000005
【図４】
2010156342.tif 000006
【図５】
2010156342.tif 000007
【図６】
2010156342.tif 000008
【図７】
2010156342.tif 000009
【図８】
2010156342.tif 000010
【図９】
2010156342.tif 000011
【図１０】
2010156342.tif 000012
【図１１】
2010156342.tif 000013
【図１２】
2010156342.tif 000014
【図１３】
2010156342.tif 000015
【図１４】
2010156342.tif 000016
【図１５】
2010156342.tif 000017
【図１６】
2010156342.tif 000018
【図１７】
2010156342.tif 000019
【図１８】
2010156342.tif 000020
【図１９】
2010156342.tif 000021
【図２０】
2010156342.tif 000022
【図２１】
2010156342.tif 000023
【図２２】
2010156342.tif 000024
【図２３】
2010156342.tif 000025
【図２４】
2010156342.tif 000026
【図２５】
2010156342.tif 000027
【図２６】
2010156342.tif 000028
【図２７】
2010156342.tif 000029
【図２８】
2010156342.tif 000030
【図２９】
2010156342.tif 000031
【図３０】
2010156342.tif 000032
【図３１】
2010156342.tif 000033
【図３２】
2010156342.tif 000034